(57)【要約】  電力供給ユニット、検出ユニット及びウォータポンプユニットを含む排水ポンプに適用する水位検出制御回路及びその作動方法を提供する。電力供給ユニットは、検出ユニット及びウォータポンプユニットに電力を供給するために用いられる。検出ユニットは、センサ部及び比較部を有し、センサ部は、排水ポンプにおける水位位置を周期的に検出のために用いられる。比較部は、水位位置に対応する感知値を検出ユニットにプリセットされた第１閾値との比較結果に応じて駆動信号を発生する。ウォータポンプユニットは、検出ユニットからの駆動信号を受信し、プリセットされた時間帯で排水ポンプを作動させるために用いられる。本発明の排水ポンプに適用する水位検出制御回路は、液面波動を防止可能であり、構造が簡単で集成化しやすく、信頼性が良いという特徴を有し、排水ポンプ内に取り付けられ排水ポンプと一体化構造に形成できる。【選択図】図１
2016513194.tif 000002
【特許請求の範囲】
【請求項１】
排水ポンプに適用する水位検出制御回路であって、
前記水位検出制御回路は、電力供給ユニットと、検出ユニットと、ウォータポンプユニットとを含み、
前記電力供給ユニットは、前記検出ユニット及び前記ウォータポンプユニットに電力を供給するために用いられ、
前記検出ユニットは、排水ポンプにおける水位位置を周期的に検出のために用いられるセンサ部と、前記水位位置に対応する感知値を前記検出ユニットにプリセットされた第１閾値と比較して、比較結果に応じて駆動信号を発生させる比較部とを有し、
前記ウォータポンプユニットは、前記検出ユニットからの駆動信号を受信して、プリセットされた時間帯において前記排水ポンプを作動させるために用いられる、
ことを特徴とする排水ポンプに適用する水位検出制御回路。
【請求項２】
前記水位検出制御回路は、前記排水ポンプの内部に取り付けられる、
ことを特徴とする請求項１に記載の排水ポンプに適用する水位検出制御回路。
【請求項３】
前記電力供給ユニットは、電源ユニット及び電圧安定化ユニットを有し、
前記電源ユニットは、外部の交流電力を直流電力に変換して、変換された直流電力を前記電圧安定化ユニット及び前記ウォータポンプユニットに供給するために用いられ、
前記電圧安定化ユニットは、前記変換された直流電力を電圧安定化させた後、前記検出ユニット及び前記ウォータポンプユニットに供給するために用いられる、
ことを特徴とする請求項１又は２に記載の排水ポンプに適用する水位検出制御回路。
【請求項４】
前記第１組の検出回路におけるセンサ部は、排水ポンプにおける水位位置を周期的に検出するために用いられ、前記第１組の検出回路における比較部は、前記水位位置に対応する感知値をその比較部にプリセットされた第１閾値と比較して、比較結果に応じて駆動信号を発生させ、
前記第２組の検出回路におけるセンサ部は、排水ポンプにおける水位位置を周期的に検出するために用いられ、前記第２組の検出回路における比較部は、前記水位位置に対応する感知値をその比較部にプリセットされた第２閾値と比較して、比較結果に応じて駆動信号を発生させる、
ことを特徴とする請求項１又は２に記載の排水ポンプに適用する水位検出制御回路。
【請求項５】
前記ウォータポンプユニットは、前記検出ユニットからの駆動信号を受信した後、プリセットされた少なくとも１つの間欠起動周期及び１つの作動周期に応じて作動するように排水ポンプを制御するための遅延制御回路を有し、
前記間欠起動周期は、前記排水ポンプを起動させる第１時間帯と排水ポンプを作動させない第２時間帯との和であり、
前記作動周期は、排水ポンプを正常に作動させ、第１時間帯より大きい第３時間帯である、
ことを特徴とする請求項１又は２に記載の排水ポンプに適用する水位検出制御回路。
【請求項６】
前記遅延制御回路は、さらに前記検出ユニットから受信した信号を駆動信号から無入力信号に変換した後、プリセットされた遅延周期に応じて作動するように排水ポンプを制御するために用いられ、
前記遅延周期は、排水ポンプを引き続き作動させる第４時間帯である、
ことを特徴とする請求項５に記載の排水ポンプに適用する水位検出制御回路。
【請求項７】
前記ウォータポンプユニットは、外部の警報回路に接続するための警報出力インタフェースをさらに有する、
ことを特徴とする請求項５に記載の排水ポンプに適用する水位検出制御回路。
【請求項８】
排水ポンプに適用する水位検出制御回路の作動方法であって、
第１センサにより排水ポンプにおける水位位置に対応する感知値を生成するステップと、
前記感知値を第１閾値と比較するステップと、
前記感知値が前記第１閾値より小さい場合、前記排水ポンプを作動させないステップと、
前記感知値が前記第１閾値より大きい場合、プリセットされた少なくとも１つの間欠起動周期及び１つの作動周期に応じて作動するように前記排水ポンプを制御するステップと、
を含み、
前記間欠起動周期は、前記排水ポンプを起動させる第１時間帯と排水ポンプを作動させない第２時間帯との和であり、
前記作動周期は、前記排水ポンプを正常に作動させ、第１時間帯より大きい第３時間帯である、
ことを特徴とする排水ポンプに適用する水位検出制御回路の作動方法。
【請求項９】
前回検出された前記排水ポンプにおける水位位置に対応する感知値は前記第１閾値より大きく、かつ現在検出された前記排水ポンプにおける水位位置に対応する感知値は前記第１閾値より小さい場合、プリセットされた遅延周期に応じて作動するように前記排水ポンプを制御し、
前記遅延周期は、前記排水ポンプを引き続き作動させる第４時間帯である、
ことを特徴とする請求項８に記載の排水ポンプに適用する水位検出制御回路の作動方法。
【請求項１０】
前記排水ポンプにおける水位位置が低水位より高い場合、前記方法は、
前記第１センサより高い第２センサにより、前記排水ポンプにおける水位位置に対応する感知値を生成するステップと、
前記感知値を第２閾値と比較するステップと、
前記感知値が前記第２閾値より大きい場合、前記排水ポンプを正常に作動させるように制御するとともに、外部に警報信号を送信するステップと、
をさらに含む、
ことを特徴とする請求項８又は９に記載の排水ポンプに適用する水位検出制御回路の作動方法。
【発明の詳細な説明】
【技術分野】
【０００１】
本発明は、排水ポンプ分野に関し、特に排水ポンプに適用する水位検出制御回路及びその作動方法に関する。
【背景技術】
【０００２】
現在、市販の各種の電器用排水ポンプは、いずれもポンプ本体を水位センサと分けて設けられるものであるため、その取り付けが不便であり、かつポンプ本体と水位センサとの分離によって制御回路を複雑化させる。従来技術における水位センサは、リードスイッチ式フロートスイッチを使用するものが多く、リードスイッチ式フロータが可動部材に属するため、水位の制御が複雑であり、液面波動時に誤動作などの状況が発生しやすくなる。
【発明の概要】
【０００３】
本発明の目的は、水位検出制御回路が排水ポンプ内に取り付けられ、排水ポンプと一体化構造を形成することを可能にするとともに、液面波動防止の機能を有し、構造が簡単で、集成化しやすく、信頼性が良いという特徴を水位検出制御回路に与えるために、排水ポンプに適用する水位検出制御回路及びその作動方法を提供することにある。
【０００４】
上記目的を達成するために、本発明の一側面は、排水ポンプに適用する水位検出制御回路を提供し、
上記水位検出制御回路は、電力供給ユニットと、検出ユニットと、ウォータポンプユニットとを含み、
上記電力供給ユニットは、上記検出ユニット及び上記ウォータポンプユニットに電力を供給するために用いられ、
上記検出ユニットは、排水ポンプにおける水位位置を周期的に検出のために用いられたセンサ部と、上記水位位置に対応する感知値を上記検出ユニットにプリセットされた第１閾値と比較して、比較結果に応じて駆動信号を発生させる比較部を有し、
上記ウォータポンプユニットは、上記検出ユニットからの駆動信号を受信して、プリセットされた時間帯において上記排水ポンプを作動させるために用いられる。
【０００５】
本発明が提供する技術的構成の有益な効果は、上記水位検出制御回路を設けることにより、排水ポンプにおける水位位置の自動検出機能を上記制御回路に与えることができ、また、比較結果に応じて排水ポンプの作動を制御できることにある。
【０００６】
好ましくは、上記水位検出制御回路は、上記排水ポンプの内部に取り付けられる。
【０００７】
好ましくは、上記電力供給ユニットは、電源ユニット及び電圧安定化ユニットを有し、
上記電源ユニットは、外部の交流電力を直流電力に変換して、変換された直流電力を上記電圧安定化ユニット及び上記ウォータポンプユニットに供給するために用いられ、
上記電圧安定化ユニットは、上記変換された直流電力を電圧安定化した後、上記検出ユニット及び上記ウォータポンプユニットに供給するために用いられる。
【０００８】
好ましくは、上記検出ユニットは、第１組の検出回路と第２組の検出回路との２組の検出回路を有し、
上記第１組の検出回路におけるセンサ部は、排水ポンプにおける水位位置を周期的に検出するために用いられ、上記第１組の検出回路における比較部は、上記水位位置に対応する感知値を、その比較部にプリセットされた第１閾値と比較して、比較結果に応じて駆動信号を発生させ、
上記第２組の検出回路におけるセンサ部は、排水ポンプにおける水位位置を周期的に検出するために用いられ、上記第２組の検出回路における比較部は、上記水位位置に対応する感知値を、その比較部にプリセットされた第２閾値と比較して、比較結果に応じて駆動信号を発生させる。
【０００９】
好ましくは、上記ウォータポンプユニットは、上記検出ユニットからの駆動信号を受信した後、プリセットされた少なくとも１つの間欠起動周期及び１つの作動周期に応じて作動するように排水ポンプを制御するための遅延制御回路を有し、
上記間欠起動周期は、上記排水ポンプを起動させる第１時間帯と排水ポンプを作動させない第２時間帯との和であり、
上記作動周期は、排水ポンプを正常に作動させ、第１時間帯より大きい第３時間帯である。
【００１０】
好ましくは、上記遅延制御回路は、さらに上記検出ユニットから受信した信号を駆動信号から無入力信号に変換した後、プリセットされた遅延周期に応じて作動するように上記排水ポンプを制御するために用いられ、
上記遅延周期は、排水ポンプを引き続き作動させる第４時間帯である。
【００１１】
好ましくは、上記ウォータポンプユニットは、外部の警報回路に接続するための警報出力インタフェースをさらに有する。
【００１２】
本発明の別の側面は、排水ポンプに適用する水位検出制御回路の作動方法を提供し、
上記方法は、
第１センサにより排水ポンプにおける水位位置に対応する感知値を生成するステップと、
上記感知値を第１閾値と比較するステップと、
上記感知値が上記第１閾値より小さい場合、上記排水ポンプを作動させないステップと、
上記感知値が上記第１閾値より大きい場合、プリセットされた少なくとも１つの間欠起動周期及び１つの作動周期に応じて作動するように上記排水ポンプを制御するステップと、
を含み、
上記間欠起動周期は、上記排水ポンプを起動させる第１時間帯と排水ポンプを作動させない第２時間帯との和であり、上記作動周期は、上記排水ポンプを正常に作動させ、第１時間帯より大きい第３時間帯である。
【００１３】
本発明の技術的構成の有益な効果は、上記作動方法により、プリセットされた作動形態に応じて作動するように、排水ポンプを制御できることにある。
【００１４】
好ましくは、前回検出された上記排水ポンプにおける水位位置に対応する感知値が上記第１閾値より大きく、かつ現在検出された上記排水ポンプにおける水位位置に対応する感知値が上記第１閾値より小さい場合、プリセットされた遅延周期に応じて作動するように上記排水ポンプを制御し、
上記遅延周期は、上記排水ポンプを引き続き作動させる第４時間帯である。
【００１５】
好ましくは、上記排水ポンプにおける水位位置が低水位より高い場合、上記方法は、
上記第１センサより高い第２センサにより、上記排水ポンプにおける水位位置に対応する感知値を生成するステップと、
上記感知値を第２閾値と比較するステップと、
上記感知値が上記第２閾値より大きい場合、上記排水ポンプを正常に作動させるように制御するとともに、外部に警報信号を送信するステップと、
をさらに含む。
【図面の簡単な説明】
【００１６】
以下、本発明の実施例における技術的構成をより明確に説明するために、実施例に使用される図面について簡単に説明する。以下に説明する図面は、本発明のいくつかの実施例に過ぎず、これらの図面によって得られる他の図面は、当業者にとって可能であることは明らかであろう。
【図１】図１は、本発明に係る水位検出制御回路のブロック図を示す。
【図２】図２は、本発明に係る電源ユニットの回路図を示す。
【図３】図３は、本発明に係る電圧安定化ユニットの回路図を示す。
【図４】図４は、本発明に係る検出ユニットの回路図を示す。
【図５】図５は、本発明に係るウォータポンプユニットの回路図を示す。
【図６】図６は、本発明に係る遅延制御チップの制御シーケンス図を示し、（ａ）は遅延制御チップが低レベルを受信するときの制御シーケンスであり、（ｂ）は遅延制御チップの入力を低レベルから無入力に切り替えるときの制御シーケンスである。
【発明を実施するための形態】
【００１７】
以下、図面を参照して本発明の具体的な実施形態をさらに説明する。
【００１８】
図１に示すように、本発明に係る水位検出制御回路は、電源ユニット１０と、電圧安定化ユニット２０と、検出ユニット３０と、ウォータポンプユニット４０とを含む。上記電源ユニット１０は、電圧安定化ユニット２０及びウォータポンプユニット４０とそれぞれ接続され、上記電圧安定化ユニット２０は、上記検出ユニット３０及びウォータポンプユニット４０とそれぞれ接続され、上記検出ユニット３０は、ウォータポンプユニット４０と接続されている。
【００１９】
具体的な電源ユニット１０の回路図は図２に示される。図２に示すように、上記電源ユニット１０には、ＣＸ７１３１型のスイッチング電源管理チップＵ１を使用してもよい。上記電源ユニット１０の回路はすなわち、スイッチング電源管理チップＵ１の通常適用される回路である。当該回路の具体的な機能は、Ｌポート及びＮポートに入力される交流電力を１２Ｖ直流電力に変換して電圧安定化ユニット２０及びウォータポンプユニット４０に供給する。
【００２０】
具体的な電圧安定化ユニット２０の回路図は図３に示される。図３に示すように、上記電圧安定化ユニット２０には、７８Ｌ０５型の電圧安定化チップＵ５を使用してもよい。上記電圧安定化チップＵ５の１ピンは電圧入力ピンであり、逆放電を防止するための第５ダイオードＤ５を通して電源ユニット１０の出力端に接続されるために用いられる。上記電圧安定化チップＵ５の２ピンは接地ピンである。上記電圧安定化チップＵ５の３ピンは電圧出力ピンであり、安定化させた５Ｖ電圧を検出ユニット３０及びウォータポンプユニット４０に出力するために用いられ、第１３静電容量Ｃ１３を通して接地される。
【００２１】
具体的な検出ユニット３０の回路図は図４に示される。図４に示すように、上記検出ユニット３０には、水位検出機能があるチップを使用し、具体的に低水位検出チップＵ２及び高水位検出チップＵ３を含む。上記２つの検出チップは同様のＩＣであり、ここで、低水位とは、排水ポンプにおける水位が正常水位範囲にあることを指し、高水位とは、排水ポンプにおける水位が非正常水位範囲にあることを指す。上記低水位検出チップＵ２の１ピンは信号入力ピンであり、第１インタフェースＢを介して第１検出ヘッドに接続され、外部の静電容量フィールド（capacitance field）の変化を検出して静電容量値を読み取るために用いられる。このうち、上記低水位検出チップＵ２の２ピンは未接続ピンである。上記低水位検出チップＵ２の３ピンは出力ピンであり、第１４抵抗Ｒ１４を介して第２接続点Ｐ２に接続される。上記低水位検出チップＵ２の４ピンは未接続ピンである。上記低水位検出チップＵ２の５ピンは接地される。上記低水位検出チップＵ２の６ピンは未接続ピンである。上記低水位検出チップＵ２の７ピンは、第１０静電容量Ｃ１０を介して電圧安定化ユニット２０の３ピンに接続される。上記低水位検出チップＵ２の８ピンは、電圧安定化ユニット２０の３ピンに接続され、上記電圧安定化ユニット２０の３ピンから第１９抵抗Ｒ１９を引き出して第２接続点Ｐ２に接続する。
【００２２】
上記高水位検出チップＵ３の１ピンは信号入力ピンであり、第２インタフェースＣを介して第２検出ヘッドに接続され、外部の静電容量フィールドの変化を検出して静電容量値を読み取るために用いられる。このうち、上記第２検出ヘッドの位置は上記第１検出ヘッドの位置より高いものである。上記高水位検出チップＵ３の２ピンは未接続ピンである。上記高水位検出チップＵ３の３ピンは出力ピンであり、第１５抵抗Ｒ１５を介して第１接続点Ｐ１に接続される。上記高水位検出チップＵ３の４ピンは未接続ピンである。上記高水位検出チップＵ３の５ピンは接地される。上記高水位検出チップＵ３の６ピンは未接続ピンである。上記高水位検出チップＵ３の７ピンは、第１１静電容量Ｃ１１を介して電圧安定化ユニット２０の３ピンに接続される。上記高水位検出チップＵ３の８ピンは、電圧安定化ユニット２０の３ピンに接続され、上記電圧安定化ユニット２０の３ピンから第１２静電容量Ｃ１２を引き出して接地する。
【００２３】
具体的なウォータポンプユニット４０の回路図は図５に示される。図５に示すように、上記ウォータポンプユニット４０には、遅延制御チップＵ４を使用してもよい。上記遅延制御チップＵ４の１ピンは電源ピンであり、電圧安定化ユニット２０の３ピンに接続される。上記遅延制御チップＵ４の２、３、４、５ピンは未接続ピンである。上記遅延制御チップＵ４の６ピンは、第１６抵抗Ｒ１６を介してＮＰＮ型の第１三極管Ｑ１のベースに接続される。上記遅延制御チップＵ４の７ピンは、第２接続点Ｐ２に接続される。上記遅延制御チップＵ４の８ピンは接地される。第１三極管Ｑ１のエミッタは接地され、第１三極管Ｑ１のコレクタは、ＵＳ７９型のホールスイッチの２ピンに接続される。上記ホールスイッチの２ピンは、ＮＰＮ型の第２三極管Ｑ２のコレクタにも接続され、その第２三極管Ｑ２のエミッタは接地される。第２三極管Ｑ２のベースは、第１７抵抗Ｒ１７、第１８抵抗Ｒ１８を介して第３インタフェースＤに接続され、そのインタフェースは、外部警報回路に接続されてもよい。ＰＮＰ型の第３三極管Ｑ３のコレクタは、上記第１７抵抗Ｒ１７と第１８抵抗Ｒ１８との間に接続され、第３三極管Ｑ３のエミッタは、電圧安定化ユニット２０の３ピンに接続され、第３三極管Ｑ３のベースは、第１接続点Ｐ１に接続される。上記ホールスイッチの１ピン及び３ピンは、モータＭ１の左右コイルにそれぞれ接続される。上記モータＭ１は、電源ユニット１０に接続され、電源ユニット１０によって１２Ｖ出力電圧供給される。
【００２４】
上記低水位検出チップＵ２にインストールされたプログラムは、低水位検出機能を果たすために用いられる。具体的な検出プロセスは、以下に示す。すなわち、当該チップの１ピンは、第１インタフェースＢに接続される第１検出ヘッドによって外部静電容量フィールドの変化を検出する。水位の位置に変化が生じる場合、静電容量フィールドが変化して、上記低水位検出チップＵ２は現在の静電容量値ＣＢを読み取る。上記低水位検出チップＵ２の７ピンに第１静電容量閾値Ｃ１０が予め設置されるため、上記低水位検出チップＵ２は上記１ピンに読み取られた静電容量値ＣＢを７ピンの第１静電容量閾値と比較する。上記静電容量値ＣＢが第１静電容量閾値Ｃ１０より高い場合、上記低水位検出チップＵ２の３ピンはオンになって低レベルを出力する。上記静電容量値ＣＢが第１静電容量閾値Ｃ１０より低い場合、上記低水位検出チップＵ２の３ピンは出力しない。
【００２５】
上記高水位検出チップＵ３にインストールされたプログラムは、高水位検出機能を果たすために用いられる。具体的な検出プロセスは、以下に示す。すなわち、当該チップの１ピンは、第２インタフェースＣに接続される第２検出ヘッドによって外部静電容量フィールドの変化を検出する。水位の位置に変化が生じる場合、静電容量フィールドが変化して、上記高水位検出チップＵ３は現在的静電容量値ＣＣを読み取る。上記高水位検出チップＵ３の７ピンに第２静電容量閾値Ｃ１１が予め設置されるため、上記高水位検出チップＵ３は上記１ピンに読み取られた静電容量値ＣＣを７ピンの第２静電容量閾値と比較する。上記静電容量値ＣＣが第２静電容量閾値Ｃ１１より高い場合、上記高水位検出チップＵ３の３ピンはオンになって低レベルを出力する。上記静電容量値ＣＣが第２静電容量閾値Ｃ１１より低い場合、上記高水位検出チップＵ３の３ピンは出力しない。
【００２６】
上記遅延制御チップＵ４にインストールされたプログラムは、遅延制御機能を果たすために用いられる。具体的な遅延制御プロセスは、図６に示される。すなわち、上記遅延制御チップＵ４の７ピンが低レベルを受信した場合、当該チップの６ピンは第１プリセット時間帯Ｔ１において高レベルを出力して、第２プリセット時間帯Ｔ２において出力しない。上記第１プリセット時間帯Ｔ１及び第２プリセット時間帯Ｔ２を排水ポンプに対する間欠起動周期とし、排水ポンプの羽根車の作動室における空気をほとんど排出するために、第２プリセット時間帯Ｔ２の後、必要に応じていくつかの間欠起動周期を設けてもよい。その後、第３プリセット時間帯Ｔ３において高レベルを出力して、排水ポンプを正式に起動して作動させる。上記遅延制御チップＵ４の７ピンは低レベルから入力なしに切り替える場合、当該チップの６ピンは、プリセットされた第４時間帯Ｔ４において高レベルを引き続き出力する。当該第４時間帯Ｔ４を経た後、上記遅延制御チップＵ４の６ピンは出力しない。
【００２７】
本発明に係る排水ポンプに適用する水位検出制御回路の作動原理は、電源ユニット１０が外部の交流電力を１２Ｖの直流電力に変換してモータＭ１及び電圧安定化ユニット２０の１ピンに供給し、上記電圧安定化ユニット２０が上記１２Ｖ電圧を安定化させ、安定化させた５Ｖ電圧によってユニット３０における低水位検出チップＵ２及び高水位検出チップＵ３、並びにウォータポンプユニット４０における遅延制御チップＵ４及び第３三極管Ｑ３に電力供給する。
【００２８】
排水ポンプにおける水位位置に変化が生じる場合、静電容量フィールドが変化して、上記低水位検出チップＵ２は、第１インタフェースＢに接続される第１検出ヘッドによって現在の外部静電容量フィールドの静電容量値ＣＢを読み取る。その後、その静電容量値ＣＢを第１静電容量閾値Ｃ１０と比較して、上記静電容量値ＣＢが第１静電容量閾値Ｃ１０より低い場合、排水ポンプの水位が第１検出ヘッドの位置よりも低くなって、排水機能を起動する必要がないことを示す。そのとき、上記低水位検出チップＵ２の３ピンが出力しないので、上記遅延制御チップＵ４を作動させなく、高レベルを出力しなく、第１三極管Ｑ１をオフにし、最終的にモータＭ１を作動させないようになる。
【００２９】
上記静電容量値ＣＢが第１静電容量閾値Ｃ１０より高い場合、排水ポンプの水位はすでに第１検出ヘッドの位置より高いことを示す。そのとき、上記低水位検出チップＵ２の３ピンがオンになって低レベルを出力するので、上記遅延制御チップＵ４の７ピンを始動させ、当該チップの６ピンがプリセットされた間欠起動周期の後で高レベルを出力し、第１三極管Ｑ１をオンにし、最終的にモータＭ１を作動させて水をポンプアウトするようになる。
【００３０】
上記静電容量値ＣＢが第１静電容量閾値Ｃ１０より高い値から第１静電容量閾値Ｃ１０より低い値に変更した場合、排水ポンプの水位は第１検出ヘッドの位置より低くなっており、排水機能を起動する必要がないことを示す。そのとき、上記低水位検出チップＵ２の３ピンは出力しないので、上記遅延制御チップＵ４の７ピンが低レベルから入力なし状態に切り替えると、当該チップの６ピンがプリセットされた第４時間帯Ｔ４において高レベルを引き続き出力し、第１三極管Ｑ１をオンにし、モータＭ１を作動させる。しかし、その第４時間帯Ｔ４を経た後、上記遅延制御チップＵ４の６ピンが高レベル出力しなくなる。そのとき、第１三極管Ｑ１をオフにし、最終的にモータＭ１を作動させないようになる。
【００３１】
上記低水位検出チップＵ２回路が故障や損傷があった場合、又は上記低水位検出チップＵ２回路が正常に作動するが、排水ポンプの流入量が排出量より多い場合、排水ポンプの水位が第１検出ヘッドより高く、さらに第２検出ヘッドまで引き続き上昇するようになる。そのとき、上記高水位検出チップＵ３回路は起動される。
【００３２】
排水ポンプにおける水位位置に変化が生じる場合、静電容量フィールドが変更して、上記高水位検出チップＵ３は第２インタフェースＣに接続される第２検出ヘッドによって現在の外部静電容量フィールドの静電容量値ＣＣを読み取る。その後、その静電容量値ＣＣを第２静電容量閾値Ｃ１１と比較して、上記静電容量値ＣＣが第２静電容量閾値Ｃ１１より高い場合、排水ポンプの水位が第２検出ヘッドの位置より高くなっており、排水機能及び外部への警報機能を起動する必要があることを示す。そのとき、上記高水位検出チップＵ３の３ピンが低レベルを出力するので、第３三極管Ｑ３をオンにし、さらに第２三極管Ｑ２をオンにし、最終的にモータＭ１を作動させて水をポンプアウトするようになる。また、第３インタフェースＤは、外部警報回路に連介して警報機能を実現する。
【００３３】
本発明に係る排水ポンプに適用する水位検出制御回路は、排水ポンプ内に取り付けられ、排水ポンプと一体化構造を形成することができる。その水位検出制御回路は、従来技術におけるリードスイッチ式フロートスイッチなどの運動部材を有しないので、液面波動防止の機能を持つ。その水位検出制御回路は、構造が簡単で、集成化しやすく、信頼性が良いという特徴を有する。
【００３４】
上述したのは本発明の好ましい実施形態であり、本発明の思想を逸脱しないことを前提とする場合、当業者が、複数の改良及び修飾をしても、本発明の保護範囲に属するものであると理解されるべきである。
【図１】
2016513194.tif 000003
【図２】
2016513194.tif 000004
【図３】
2016513194.tif 000005
【図４】
2016513194.tif 000006
【図５】
2016513194.tif 000007
【図６】
2016513194.tif 000008
【国際調査報告】
2016513194.tif 000009
2016513194.tif 000010
2016513194.tif 000011
2016513194.tif 000012